(57)【要約】【課題】  温度変化等によって状態が変化する凍結物を、凍結物の状態に関わらず飲食することができる凍結飲料用容器を提供する。【解決手段】  本発明の凍結飲料用容器１は、袋状に形成された容器本体２と、該容器本体２に形成された開口３を密封かつ開封可能なジッパー部４と、開口３と異なる位置に設けられ、容器本体２の内外を連通させると共に密栓可能なスパウト５とを備えている。スパウト５の先端には、密栓可能なキャップ構造４３が設けられている。【選択図】図１
2012131523.tif 000002
【特許請求の範囲】
【請求項１】
袋状に形成された容器本体と、該容器本体に形成された開口を密封かつ開封可能なジッパー部と、前記開口と異なる位置に設けられ、前記容器本体の内外を連通させると共に密栓可能なスパウトとを備え、該スパウトの先端には、密栓可能なキャップ構造が設けられていることを特徴とする凍結飲料用容器。
【請求項２】
前記容器本体は、シート材の端縁間を封止されて形成されていることを特徴とする請求項１に記載の凍結飲料用容器。
【請求項３】
前記ジッパー部は、直線状に形成された雄部材と雌部材とで構成され、前記雄部材と前記雌部材とを係合させることで密封され、前記雄部材と前記雌部材との係合を解除することで開封されることを特徴とする請求項１に記載の凍結飲料用容器。
【請求項４】
前記スパウトは、前記ジッパー部と交差する方向に前記容器本体に装着されていることを特徴とする請求項１に記載の凍結飲料用容器。
【請求項５】
前記キャップ構造は、再封可能に構成され、開封時に開封を目視できる開封明示手段が形成されていることを特徴とする請求項１に記載の凍結飲料用容器。
【発明の詳細な説明】
【技術分野】
【０００１】
本発明は、飲料を凍らせた凍結物を収容する凍結飲料用容器に関する。
【背景技術】
【０００２】
近年、氷やキャンディー等の凍結物を収容する容器として、袋状の容器本体に開封及び再封可能なジッパー部が取り付けられたもの（以下、ジッパー付容器という）が普及している（例えば、特許文献１参照）。
【０００３】
かかる容器は、袋状に形成された容器本体と、該容器本体に形成された開口を密封かつ開封可能なジッパー部とを備え、該ジッパー部を密封した状態で凍結物を収容するように構成され、ジッパー部を開封して凍結物を取り出すことで食することができる。
【０００４】
これに対し、水やジュース等の飲料を収容する容器として、袋状の容器本体に密栓可能なスパウトが取り付けられたもの（以下、スパウト付容器）が普及している（例えば、特許文献２参照）。
【０００５】
かかる容器は、袋状に形成された容器本体と、該容器本体の内外を連通させると共に密栓可能なスパウトとを備える。また、該スパウトの先端には、開封可能かつ密封可能なキャップ構造が設けられ、キャップ構造を開封してスパウトから飲料を飲むことができる。
【先行技術文献】
【特許文献】
【０００６】
【特許文献１】特開２００９−５７１０７号公報
【特許文献２】特開２００９−１９０７５０号公報
【発明の概要】
【発明が解決しようとする課題】
【０００７】
しかしながら、ジッパー付容器は、凍結物が液状化した状態（飲料）では、そのまま飲み難く、他の容器に移して飲食しなければならない。
【０００８】
また、スパウト付容器は、水やジュース等の液体を凍らせて使用されることがあるが、凍結物を解凍しなければそのまま飲食することができない。従って、温度変化等によって状態が変化する凍結物を、凍結物の状態に関わらず飲食することができる凍結飲料用容器が要求されている。
【０００９】
そこで、本発明は、斯かる実情に鑑み、温度変化等によって状態が変化する凍結物を、凍結物の状態に関わらず飲食することができる凍結飲料用容器を提供することを課題とする。
【課題を解決するための手段】
【００１０】
本発明に係る凍結飲料用容器は、袋状に形成された容器本体と、該容器本体に形成された開口を密封かつ開封可能なジッパー部と、前記開口と異なる位置に設けられ、前記容器本体の内外を連通させると共に密栓可能なスパウトとを備え、該スパウトの先端には、密栓可能なキャップ構造が設けられていることを特徴とする。
【００１１】
上記構成の凍結飲料用容器によれば、容器本体がジッパー部とスパウトとの両方の構成を備えているため、容器本体に収容された凍結物が、凍った状態ではジッパー部を開封して取り出して飲食することができ、液状化した状態（飲料）ではスパウトのキャップ構造を開封してスパウトによって飲むことができる。従って、温度変化等によって状態が変化する凍結物を、凍結物の状態に関わらず飲食することができる。
【００１２】
本発明の一態様として、前記容器本体は、シート材の端縁間を封止されて形成されていることが好ましい。
【００１３】
上記構成によれば、容器本体がシート材の端縁間を封止されて形成されているため、容器本体が柔軟性を有し、持ち運びがしやすい。
【００１４】
本発明の他態様として、前記ジッパー部は、直線状に形成された雄部材と雌部材とで構成され、前記雄部材と前記雌部材とを係合させることで密封され、前記雄部材と前記雌部材との係合を解除することで開封されることが好ましい。
【００１５】
このようにすることで、液体が凍った状態（凍結状態）では、雄部材と雌部材との係合を解除することで、ジッパー部を開封して凍結物を取り出して、食することができる。また、凍結物が溶けた状態でも、ジッパー部によって容器本体を密封することができる。
【００１６】
本発明の別態様として、前記スパウトは、前記ジッパー部と交差する方向に延びるように前記容器本体に装着されていることが好ましい。
【００１７】
このようにすることで、容器本体を傾けることがなく、凍結物が液状化した状態（飲料）で、ジッパー部が飲料の圧力で開封されて、飲料が漏れることを防止することができる。
【００１８】
本発明のさらに別の態様として、前記キャップ構造は、再封可能に構成され、開封時に開封を目視できる開封明示手段を備えていることが好ましい。
【００１９】
このようにすることで、キャップ構造を開封して液状化した凍結物（液体）をスパウトによって飲食することができるとともに、キャップ構造を再封することで容器を持ち運んだり、再び開封して飲食したりすることができる。また、開封明示手段によってキャップ構造の開封時に開封を目視することができ、不正な開封を明示することができる。
【発明の効果】
【００２０】
以上のように、本発明の凍結飲料用容器によれば、温度変化等によって状態が変化する凍結物を、凍結物の状態に関わらず飲食することができるといった優れた効果を奏し得る。
【図面の簡単な説明】
【００２１】
【図１】本発明の一実施形態に係る凍結飲料用容器の概略構成を示す正面図である。
【図２】本発明の一実施形態に係る凍結飲料用容器の容器本体に形成されたジッパー部の概略断面図であって、（ａ）は、ジッパー部を密封した状態を示す図、（ｂ）は、ジッパー部を開封した状態を示す図である。
【発明を実施するための形態】
【００２２】
以下、本発明の一実施形態に係る凍結飲料用容器について、添付図面を参照して説明する。
【００２３】
本実施形態に係る凍結飲料用容器は、例えば、かち割り氷やアイスキャンディー等の温度変化等によって状態が変化する凍結物Ｆを収容するための容器である。図１に示すように、本実施形態に係る凍結飲料用容器１は、袋状に形成された容器本体２と、該容器本体２に形成された開口３を密封かつ開封可能なジッパー部４と、開口３と異なる位置に設けられ、容器本体２の内外を連通させると共に密栓可能なスパウト５とを備える。
【００２４】
容器本体２は、略長方形の樹脂シート一つの角部をテーパー状にカットしたシート材６を２枚重ね合わせて、重ね合わされた２枚のシート材６の所定箇所（端縁間）を封止されて形成され、凍結物Ｆを収容可能となっている。本実施形態においては、容器本体２は、シート材６の一端部２０、両側縁部２１，２２、他端部２３、及びテーパー状にカットされたコーナー部２４を熱融着して形成されている。図１において、シート材６のダブルハッチングを施している部分が熱融着されている箇所である。また、容器本体２を構成するシート材６の少なくとも一方の面には、商品名やキャッチコピー等の印刷が施されている。
【００２５】
また、本実施形態では、容器本体２は、シート材６の一端部２０に開封予定部１５が形成されている。開封予定部１５は、当該部分を切断又は開封することによって、シート材６の一端部２０に開口３を形成するようにするためのものである。開封予定部１５は、ジッパー部４よりも一端側に形成されている。開封予定部１５の開封のためにハサミ等の切断具を用いる場合は、その部分に切取線を印刷する等の方法で示していればよく、或いは、手で引き裂き可能にするために、ミシン目やハーフカットを設ければよい。本実施形態においては、開封予定部１５に切取線（図１においては、破線）が印刷されている。また、この切取線に加えて、「ここからお切り下さい」の表示が視認可能に設けられている。本実施形態においては、開封予定部１５が、上述のような方法で開封されることで、開口３が形成されるようになっている。
【００２６】
本実施形態では、容器本体２を開封予定部１５で切断することで、開口３が容器本体２の一端側（シート材６の一端部２０側）の一方の側縁部２１から他方の側縁部２２に向けて延びるように形成される。本実施形態では、開口３は、容器本体２の一方の側端縁部２１からコーナー部２４にかけて形成されている。
【００２７】
また、上述のように、本実施形態に係る凍結飲料用容器１は、容器本体２の開口３を密封かつ開封可能なジッパー部４を備える。本実施形態では、ジッパー部４は、容器本体２の一端部２０に設けられている。
【００２８】
ジッパー部４は、容器本体２の一端に沿うように設けられている。ジッパー部４は、直線状に形成された雄部材６０ａと雌部材６０ｂとで構成されている。図２に示すように、雄部材６０ａは一方のシート材６に設けられ、雌部材６０ｂは他方のシート材６に設けられている。ジッパー部４は、雄部材６０ａと雌部材６０ｂとを係合させることで密封でき（図２（ａ）参照）、雄部材６０ａと雌部材６０ｂとの係合を解除することで開封できるようになっている（図２（ｂ）参照）。
【００２９】
スパウト５は、筒状に形成されている。そして、スパウト５は、本実施形態では、ジッパー部４と交差する方向（斜め方向）に容器本体２に装着されている。スパウト５は、中心線（軸線）５０が容器本体２のコーナー部２４と略直交する方向に容器本体２に装着されている。具体的には、スパウト５は、容器本体２のシート材６間に挟み込まれて両シート材６に熱融着されている。
【００３０】
スパウト５は、例えば、ポリエチレン、ポリプロピレン、ポリエステル等の筒状部材を用いることができる。スパウト５は、単層構造であっても多層構造であってもよいが、シート材６との良好な熱融着性を得るために、少なくとも外表面がシート材６と同様の樹脂で構成されていることが好ましい。
【００３１】
スパウト５は、両シート材６に熱融着される取付部４０と、該取付部４０の径方向外方に突出するフランジ部４２と、該フランジ部４２に延設され、容器本体２のコーナー部２４から容器本体２の外方に突出する略筒状の口部４１とを備える。また、スパウト５の先端（口部４１）には、密栓可能なキャップ構造４３が設けられている。具体的には、キャップ構造４３は、口部４１に形成されたネジ部４１ａと螺合するキャップ４５と、該キャップ４５に連設され、開封時に開封を目視できる開封明示手段４４とが形成されている。
【００３２】
具体的には、開封明示手段４４は、いわゆるタンパーエビデント構造が採用されている。タンパーエビデント構造は、製造時には環状のタンパーエビデントバンドが接続された状態で形成され、キャップ構造４３の開封時には、環状のタンパーエビデントバンドが破断されて、該タンパーエビデントバンドに連設されたキャップが分離できるように構成されている。
【００３３】
シート材６は、柔軟性を有する素材からなり、一方向に長い略長方形状をなし、例えば、ポリアミド、ポリエステル、ポリプロピレン等で形成されている。
【００３４】
このように構成された凍結飲料用容器１では、２枚のシート材６を重ね合わせて、該シート材６の一端部２０、両側縁部２１，２２を熱融着し、コーナー部２４にスパウト５の取付部４０を挿入すると共にスパウト５のフランジ部４２をコーナー部２４に係止させた状態で両シート材６に取付部４０を熱融着する。この状態で、スパウト５の中心線（軸線）５０がコーナー部２４と略直交する方向に直線状に延びるようになる。次に、容器本体２の他端部２３から凍結物Ｆを容器本体２内部に充填し、他端部２３を熱溶着するようにする。
【００３５】
以上のように、本実施形態に係る凍結飲料用容器１は、袋状に形成された容器本体２と、該容器本体２に形成された開口３を密封かつ開封可能なジッパー部４と、開口３と異なる位置に設けられ、容器本体２の内外を連通させると共に密栓可能なスパウト５とを備え、該スパウト５の先端には、密栓可能なキャップ構造４３が設けられているため、容器本体２がジッパー部４とスパウト５との両方の構成を備え、容器本体２に収容された凍結物Ｆが、凍った状態ではジッパー部４を開封して取り出して飲食することができ、液状化した状態（飲料）ではスパウト５のキャップ構造４３を開封してスパウト５によって飲むことができる。従って、温度変化等によって状態が変化する凍結物Ｆを、凍結物の状態に関わらず飲食することができる。
【００３６】
また、本実施形態に係る凍結飲料用容器１によれば、容器本体２が重ね合わされたシート材６の端縁間を封止されて形成されているため、容器本体２が柔軟性を有し、持ち運びがしやすい。
【００３７】
また、本実施形態に係る凍結飲料用容器１によれば、ジッパー部４は、直線状に形成された雄部材６０ａと雌部材６０ｂとで構成され、雄部材６０ａと雌部材６０ｂとを係合させることで密封され、雄部材６０ａと雌部材６０ｂとの係合を解除することで開封されるため、凍結物Ｆが凍った状態では、雄部材６０ａと雌部材６０ｂとの係合を解除することでジッパー部４を開封して取り出して、食することができる。また、凍結物Ｆが溶けた状態でも、ジッパー部４によって容器本体を密封することができる。
【００３８】
また、スパウト５がジッパー部４と交差する方向に容器本体２に装着されているため、容器本体２を傾けることがなく、凍結物Ｆが液状化した状態（飲料）で、ジッパー部４が飲料の圧力で開封されて、飲料が漏れることを防止することができる。
【００３９】
また、キャップ構造４３が再封可能に構成され、開封時に開封を目視できる開封明示手段４４が形成されているため、キャップ構造４３を開封して液状化した凍結物（液体）Ｆをスパウト５によって飲食することができるとともに、キャップ構造４３を再封することで容器を持ち運んだり、再び開封して飲食したりすることができる。また、開封明示手段４４によってキャップ構造４３の開封時に開封を目視することができ、不正な開封を明示することができる。
【００４０】
尚、本発明の凍結飲料用容器は、上記実施形態に限定されるものではなく、本発明の要旨を逸脱しない範囲で適宜変更し得ることは勿論のことである。
【００４１】
上記実施形態において、容器本体２は、２枚のシート材６を重ね合わせて、該シート材６の一端部２０、両側縁部２１，２２、及びコーナー部２４を熱融着して形成されているが、これに限定されず、例えば、一枚のシート材を二つ折りにして対向する辺部を熱融着するようにしてもよい。
【００４２】
上記実施形態において、容器本体２は、シート材６の一端部２０、両側縁部２１，２２、及びコーナー部２４を熱融着して四方シールの平袋として形成されているが、これに限定されず、例えば、他端部２３にシート材６と同様のフィルムによって形成された底部ガセット部を有して自立可能なスタンディングタイプとして形成してもよく、また、三方シールやガゼット袋として形成されてもよい。
【００４３】
また、凍結飲料用容器１が、上記底部ガセット部及び上部ガセット部を両方備えるような構成であってもよい。これにより、上記底部ガセット部及び上部ガセット部の存在によって、容器本体２の上端縁（上端部２０）及び容器本体２の下端縁（下端部２３）の幅方向の中央部付近が外側に広がるので、容器本体２の内部に、さらにより多くの量の内容物を収容することができる。この場合においても、容器本体２を、一枚のシート材を用いて一体的に構成してもよい。
【００４４】
上記実施形態において、スパウト５は、筒状形状として形成されているが、これに限定されず、例えば、楕円筒形状や舟形状、多角形状等に形成されてもよい。また、スパウト５は、容器本体２からの抜け落ちを防止するため、容器本体２の外方に突出する口部４１から容器本体２の内部へ挿入して熱融着する取付部４０へ向かって拡径した形状であることが好ましい。
【００４５】
上記実施形態において、シート材６は、一方向に長い略長方形状をなすように形成されているが、これに限定されず、例えば、略正方形状や円形状、多角形状等の形状をなすように形成されてもよい。
【００４６】
上記実施形態において、該シート材６の一端部２０、両側縁部２１，２２、及びコーナー部２４を熱融着して容器本体２を袋状に形成し、容器本体２のコーナー部２４にスパウト５の取付部４０を挿入してスパウト５のフランジ部４２をコーナー部２４に係止させ、スパウト５の中心線（軸線）５０がコーナー部２４と略直交する方向に直線状に延びるように両シート材６に取付部４０を熱融着し、容器本体２の他端部２３から凍結物Ｆを容器本体２内部に充填し、他端部２３を熱溶着するようにしたが、これに限定されない。例えば、ジッパー部４が形成された一端部２０から凍結物Ｆを容器本体２内部に充填し、一端部２０を熱溶着するようにしてもよい。
【符号の説明】
【００４７】
１…凍結飲料用容器、２…容器本体、３…開口、３ａ…端部、４…ジッパー部、５…スパウト、６…シート材、１５…開封予定部、２０…上端部、２１，２２…側縁部、２３…下端部、２４…コーナー部、４０…取付部、４１…口部、４２…フランジ部、４３…キャップ構造、４４…開封明示手段、５０…中心線（軸線）、６０ａ…雄部材、６０ｂ…雌部材
【図１】
2012131523.tif 000003
【図２】
2012131523.tif 000004
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
袋状に形成された容器本体と、該容器本体の一端部に沿うように形成された開口を密封かつ開封可能なジッパー部と、前記容器本体の一端部側に前記ジッパー部と交差する方向にテーパー状にカットされたコーナー部に設けられ、前記容器本体の内外を連通させると共に密栓可能なスパウトとを備え、該スパウトの先端には、密栓可能なキャップ構造が設けられていることを特徴とする凍結飲料用容器。
【請求項２】
前記容器本体は、シート材の端縁間を封止されて形成されていることを特徴とする請求項１に記載の凍結飲料用容器。
【請求項３】
前記ジッパー部は、直線状に形成された雄部材と雌部材とで構成され、前記雄部材と前記雌部材とを係合させることで密封され、前記雄部材と前記雌部材との係合を解除することで開封されることを特徴とする請求項１に記載の凍結飲料用容器。
【請求項４】
前記スパウトは、前記ジッパー部と交差する方向に前記容器本体に装着されていることを特徴とする請求項１に記載の凍結飲料用容器。
【請求項５】
前記キャップ構造は、再封可能に構成され、開封時に開封を目視できる開封明示手段が形成されていることを特徴とする請求項１に記載の凍結飲料用容器。
【手続補正２】
【補正対象書類名】明細書
【補正対象項目名】００１０
【補正方法】変更
【補正の内容】
【００１０】
本発明に係る凍結飲料用容器は、袋状に形成された容器本体と、該容器本体の一端部に沿うように形成された開口を密封かつ開封可能なジッパー部と、前記容器本体の一端部側に前記ジッパー部と交差する方向にテーパー状にカットされたコーナー部に設けられ、前記容器本体の内外を連通させると共に密栓可能なスパウトとを備え、該スパウトの先端には、密栓可能なキャップ構造が設けられていることを特徴とする。
【手続補正３】
【補正対象書類名】明細書
【補正対象項目名】００１１
【補正方法】変更
【補正の内容】
【００１１】
上記構成の凍結飲料用容器によれば、容器本体がジッパー部とスパウトとの両方の構成を備えているため、容器本体に収容された凍結物が、凍った状態ではジッパー部を開封して取り出して飲食することができ、液状化した状態（飲料）ではスパウトのキャップ構造を開封してスパウトによって飲むことができる。従って、温度変化等によって状態が変化する凍結物を、凍結物の状態に関わらず飲食することができる。
また、上記構成の凍結飲料用容器によれば、ジッパー部とスパウトとが開口に対して同じ一端部側に設けられているため、容器本体に収容された凍結物のうち、凍った状態のものを、ジッパー部を開封して取り出して飲食することができると同時に、ジッパー部を開封したままの状態で、又は、ジッパー部を閉じた状態で、容器本体の向きを少し変えるだけで、液状化した状態のもの（飲料）を、スパウトのキャップ構造を開封してスパウトによって飲むことができる。これにより、ジッパー部とスパウトとを同時に使用して飲食することができる。
【手続補正４】
【補正対象書類名】明細書
【補正対象項目名】００３５
【補正方法】変更
【補正の内容】
【００３５】
以上のように、本実施形態に係る凍結飲料用容器１は、袋状に形成された容器本体２と、該容器本体２の一端部２０に沿うように形成された開口３を密封かつ開封可能なジッパー部４と、容器本体２の一端部２０側にジッパー部４と交差する方向にテーパー状にカットされたコーナー部２４に設けられ、容器本体２の内外を連通させると共に密栓可能なスパウト５とを備え、該スパウト５の先端には、密栓可能なキャップ構造４３が設けられているため、容器本体２がジッパー部４とスパウト５との両方の構成を備え、容器本体２に収容された凍結物Ｆが、凍った状態ではジッパー部４を開封して取り出して飲食することができ、液状化した状態（飲料）ではスパウト５のキャップ構造４３を開封してスパウト５によって飲むことができる。従って、温度変化等によって状態が変化する凍結物Ｆを、凍結物の状態に関わらず飲食することができる。
また、ジッパー部４とスパウト５とが開口に対して同じ一端部２０側に設けられているため、容器本体２に収容された凍結物Ｆのうち、凍った状態のものを、ジッパー部４を開封して取り出して飲食することができると同時に、液状化した状態のもの（飲料）を、ジッパー部４を開封したままの状態で、又は、ジッパー部４を閉じた状態で、容器本体２の向きを少し変えるだけで、スパウト５のキャップ構造４３を開封してスパウト５によって飲むことができる。これにより、ジッパー部４とスパウト５とを同時に使用して飲食することができる。